(57)【要約】      （修正有）【課題】阻流板の前後に停滞域を生じさせず、水中の汚濁物質を阻流板に付着させることなく、管理が容易な沈殿池を提供する。【解決手段】沈殿池２内に水流５に対して対向して複数の水流傾斜板４を間隔を設けて設置し、水流傾斜板の端縁部と沈殿池側壁面３との間に生ずる間隔部に、山型阻流板、半円形型阻流板、凸状山型阻流板および凸状半円形型阻流板から選択された阻流板１を沈殿池側壁面に、垂直に固定する。【選択図】図１
0003173772.tif 000002
【実用新案登録請求の範囲】
【請求項１】
横流式普通沈殿池および横流式薬品沈殿池或いは放射流式普通沈殿池および放射流式薬品沈殿池では、傾斜板・傾斜管または水流傾斜板等の沈降装置を設置する場合、水流が沈降装置外を通ると、沈殿効率が著しく低下するので、短絡流が生じないようにする阻流板において、阻流板の前後に停滞域を生じさせない構造で、汚濁物質の付着するのを防止することを特徴とする阻流板
【考案の詳細な説明】
【技術分野】
【０００１】
本考案は、横流式普通沈殿池および横流式薬品沈殿池或いは放射流式普通沈殿池および放射流式薬品沈殿池において、傾斜板・傾斜管または水流傾斜板等の沈降装置を設置する場合、水流が沈降装置外を通ると、沈殿効率が著しく低下するので、短絡流が生じないようにする必要があり、沈降装置への流入を均等にするための、短絡流防止を目的とした阻流板に関する。
【背景技術】
【０００２】
従来、横流式普通沈殿池および横流式薬品沈殿池或いは放射流式普通沈殿池および放射流式薬品沈殿池において、沈降装置を設けた場合、沈殿池壁面及び流れに対して直角に突き出でた阻流壁、阻流板、阻流止めが知られている。
しかしながら、これらの阻流壁、阻流板、阻流止めでは、阻流壁、阻流板、阻流止めの前後に停滞域が生じ、汚濁物質が付着して、沈降装置へ短絡流防止を阻害するために、付着物質を定期的に取り除くという欠点があった。
【考案の概要】
【考案が解決しようとする課題】
【０００３】
そこで、本考案者は、これらの問題点をふまえ、設置後の管理が容易な汚濁物質の付着を防止する阻流板について種々検討を重ねた結果本考案を完成するに至った。
【課題を解決するための手段】
【０００４】
すなわち、本考案は、沈殿池壁面に阻流板を設ける場合には、阻流板の前後に停滞域を生じさせない構造で、汚濁物質の付着を防止することを特徴とする阻流板である。
【考案の効果】
【０００５】
本考案の阻流板を用いることによって、阻流板の前後に停滞域を生じさせず、停滞域による水中の汚濁物質を阻流板に付着させることのない、短絡流を生じないようにする阻流板を提供する。
【図面の簡単な説明】
【０００６】
【図１】沈殿池壁面に阻流板を設けた沈殿池の斜視図
【図２】山型阻流板の斜視図
【図３】山型阻流板の沈殿池側壁面の取り付け側から見た斜視図
【図４】半円形型阻流板の斜視図
【図５】山型阻流板の斜視図
【図６】半円形型阻流板の斜視図
【０００７】
次に本考案を図面を参照しながら説明するが本考案は以下の説明のみに限定されるものではない。
図１は本考案における阻流板１を設けた沈殿池２の斜視図である。阻流板１は、沈殿池側壁面３に垂直に取付け、水流傾斜板４（日本ソリッド株式会社製品）と沈殿池壁面３の間隔を１００ｍｍ以内に収めるものである。また、阻流板１は水流５に対して直角取付けられている。
図２は本考案における山型阻流板６の斜視図である。該山型阻流板６の山の頂点部８に複数の孔７を設け、該孔７は沈殿池側壁面３と該山型阻流板６を固定する固定具（図示せず）のボルト、ナット等を締め付ける際の工具を通すものであり、ボルト、ナット等の頭のサイズより大きいものである。
図３は本考案における山型阻流板６の該沈殿池側壁面３取り付け側から見た斜視図である。該山型阻流板６の山の頂点部８の反対の山の底部１０に孔７と同じ位置に取付孔９を設ける。該取付孔９は固定具（図示せず）のボルト、オールアンカー等のネジ部を通すものであり、ボルト、オールアンカー等のネジ部のサイズより大きいものである。
図４は本考案における半円形型阻流板１１の斜視図である。該半円形型阻流板１１の山の頂点部８に複数の孔７を設け、該孔７は沈殿池側壁面３と該半円形型阻流板１１を固定する固定具（図示せず）のボルト、ナット等を締め付ける際の工具を通すものであり、ボルト、ナット等の頭のサイズより大きいものである。
図５は本考案における凸状山型阻流板１２の斜視図である。該凸状山型阻流板１２には、凸状平板１３を有しており、該凸状山型阻流板１２と該水流傾斜板との間隔を少なくすることができる。
図６は本考案における凸状半円形型阻流板１４の斜視図である。該凸状半円形型阻流板１４には、凸状平板１３を有しており、該凸状半円形型阻流板１４と該水流傾斜板との間隔を少なくすることができる。
【０００８】
本考案の阻流板の素材としては、鋼製の金属類や硬質合成樹脂、ゴム製等の軟質合成樹脂が用いられる。これらの素材は機能に応じて適宜選択することができる。
また、凸状山型阻流板および凸状半円形型阻流板の凸状平板の素材としては、ゴム製等の軟質合成樹脂が用いられ、流速によって変形することが好適である。
【符号の説明】
【０００９】
１・・・・阻流板
２・・・・沈殿池
３・・・・沈殿池側壁面
４・・・・水流傾斜板
５・・・・水流
６・・・・山型阻流板
７・・・・孔
８・・・・頂点部
９・・・・取付孔
１０・・・・底部
１１・・・・半円形型阻流板
１２・・・・凸状山型阻流板
１３・・・・凸状平板
１４・・・・凸状半円形型阻流板
【図１】
0003173772.tif 000003
【図２】
0003173772.tif 000004
【図３】
0003173772.tif 000005
【図４】
0003173772.tif 000006
【図５】
0003173772.tif 000007
【図６】
0003173772.tif 000008
【手続補正書】
【提出日】平成23年12月12日(2011.12.12)
【手続補正１】
【補正対象書類名】実用新案登録請求の範囲
【補正対象項目名】請求項１
【補正方法】変更
【補正の内容】
【請求項１】
沈殿池内に水流に対して対向して複数の沈降装置を間隔を設けて設置し、該沈降装置の端縁部と沈殿池側壁面との間に生ずる間隔部に、山型阻流板、半円形型阻流板、凸状山型阻流板および凸状半円形型阻流板から選択された阻流板を沈殿池側壁面に、垂直に固定することを特徴とする沈殿池。
【手続補正２】
【補正対象書類名】明細書
【補正対象項目名】０００６
【補正方法】変更
【補正の内容】
【０００６】
【図１】沈殿池側壁面に阻流板を設けた沈殿池の斜視図
【図２】山型阻流板の斜視図
【図３】山型阻流板の沈殿池側壁面の取り付け側から見た斜視図
【図４】半円形型阻流板の斜視図
【図５】山型阻流板の斜視図
【図６】半円形型阻流板の斜視図
【手続補正３】
【補正対象書類名】明細書
【補正対象項目名】０００７
【補正方法】変更
【補正の内容】
【０００７】
次に本考案を図面を参照しながら説明するが本考案は以下の説明のみに限定されるものではない。
図１は本考案における阻流板１を設けた沈殿池２の斜視図である。阻流板１は、沈殿池側壁面３に垂直に取付け、沈降装置〔水流傾斜板４（日本ソリッド株式会社製品）〕と沈殿池側壁面３の間隔を１００ｍｍ以内に収めるものである。また、阻流板１は水流５に対して直角取付けられている。
図２は本考案における山型阻流板６の斜視図である。該山型阻流板６の山の頂点部８に複数の孔７を設け、該孔７は沈殿池側壁面３と該山型阻流板６を固定する固定具（図示せず）のボルト、ナット等を締め付ける際の工具を通すものであり、ボルト、ナット等の頭のサイズより大きいものである。
図３は本考案における山型阻流板６の該沈殿池側壁面３取り付け側から見た斜視図である。該山型阻流板６の山の頂点部８の反対の山の底部１０に孔７と同じ位置に取付孔９を設ける。該取付孔９は固定具（図示せず）のボルト、オールアンカー等のネジ部を通すものであり、ボルト、オールアンカー等のネジ部のサイズより大きいものである。
図４は本考案における半円形型阻流板１１の斜視図である。該半円形型阻流板１１の山の頂点部８に複数の孔７を設け、該孔７は沈殿池側壁面３と該半円形型阻流板１１を固定する固定具（図示せず）のボルト、ナット等を締め付ける際の工具を通すものであり、ボルト、ナット等の頭のサイズより大きいものである。
図５は本考案における凸状山型阻流板１２の斜視図である。該凸状山型阻流板１２には、凸状平板１３を有しており、該凸状山型阻流板１２と該水流傾斜板４との間隔を少なくすることができる。
図６は本考案における凸状半円形型阻流板１４の斜視図である。該凸状半円形型阻流板１４には、凸状平板１３を有しており、該凸状半円形型阻流板１４と該水流傾斜板４との間隔を少なくすることができる。